(57)【要約】      （修正有）【課題】脚付きヤグラ本体の枠部に、手掌載置部又は手指挿通部が設けられている炬燵を提供する。【解決手段】脚付きヤグラ本体と、別体の天板とで構成される上部加熱式電気やぐら炬燵であって、該脚付きヤグラ本体の枠部２１１には、手掌載置部５又は手指挿通部４が設けられている。また、手掌載置部又は手指挿通部には、握り部５２が設けられていて、姿勢を維持するのが楽になる。該手掌載置部は、該脚付きヤグラ本体の枠部に穿設された孔から内方に延出する板状体によって形成される。【選択図】図３
0003225913.tif 000002
【実用新案登録請求の範囲】
【請求項１】
脚付きヤグラ本体と、別体の天板とで構成される上部加熱式やぐら炬燵であって、該脚付きヤグラ本体の枠部には、手掌載置部又は手指挿通部が設けられているものであることを特徴とする炬燵。
【請求項２】
該手掌載置部又は手指挿通部には、握り部が設けられている請求項１記載の炬燵。
【請求項３】
該手掌載置部は、該脚付きヤグラ本体の枠部に穿設された孔から内方に延出する板状体によって形成される請求項１又は２記載の炬燵。
【請求項４】
該手掌載置部は、該脚付きヤグラ本体の枠部の天面を切欠して得られる窪みから内方に延出する板状体によって形成される請求項１又は２記載の炬燵。
【請求項５】
該手指挿通部は、該脚付きヤグラ本体の枠部に穿設された孔である請求項１又は２記載の炬燵。
【請求項６】
該手指挿通部は、該脚付きヤグラ本体の枠部の天面を切欠して得られる窪みである請求項１又は２記載の炬燵。
【考案の詳細な説明】
【技術分野】
【０００１】
本考案は炬燵の構造、特に、脚付きヤグラ本体と、これとは別体の上板とを備え、該脚付きヤグラ本体と上板との間に炬燵布団を嵌めて暖房に供するタイプの炬燵の該ヤグラ本体部分の構造に特徴のある炬燵に関するものである。
【背景技術】
【０００２】
炬燵は、主として下肢辺りの局所的空間を暖かくするのを目的とする暖房器具であり、かつては、床若しくは床下に熱源を置いた上でその周囲にヤグラ（櫓）を立て、そこに布団を被せる構造のものであったがその後、暖房された空間内に足を伸ばせるように、ヤグラの天板下面に断熱材と反射板を取設、その直下に熱源を置き、伸ばした脚が直接触れて火傷しないように熱源下方に金網を配置した炬燵が「上部加熱式やぐら炬燵」として販売開始され、その後普及して現在に至っている。またこの普及の過程で、熱源が木炭から電気へと変わり、更に、ヤグラ本体とは別体となった上板を付帯するようになり、冬季に限って配置される季節製品であったものが、炬燵布団を外せば座卓になる家具調炬燵と呼ばれるものが登場して以降は通年商品化している。こうした経緯を経て現在は、上板を備えていることが当然のものとなっている。
【０００３】
また、従来は和室が当たり前であったので、炬燵も座卓（畳で使う形式の机を座卓と呼び、ちゃぶ台も座卓の概念に含まれる）タイプのものしかなかったが、畳敷き和室が減少してきた昨今は、椅子に腰かけた状態でテーブル下の空間を遮断し暖房するタイプの炬燵も出現しているし、熱源が邪魔になり足が自由に伸ばしにくかった欠点が、フラットヒーターが採用されることによって解消されるなど、改良・多様化してきている。
【先行技術文献】
【特許文献】
【０００４】
【特許文献１】特開平１１−２０１４６９号公報
【考案の概要】
【考案が解決しようとする課題】
【０００５】
なお、典型的な炬燵も近時見られる新しいタイプの炬燵も、下肢を暖めることを目的とする局所暖房機であって、身体全体を暖めるものではない。圧倒的に小さな空間を昇温の対象としているので、部屋全体を暖める暖房機に比して電気消費量は少なく経済的である。故に、他の暖房機と併用するなどしない限りどうしても、炬燵に入りきれていない部位は冷たいまま、ということになる。中でも手（手指と手掌、手甲）は、室内では素手でいることが一般的なので冷えやすい。そこで普通は、炬燵の中に手を入れて暖めている。
【０００６】
しかしこれは効率的でない。炬燵内の空間に手を入れる際、伸ばした脚で体躯前方部分がほぼ占領されているので、脚の両側と、炬燵のヤグラ本体の天面部下面と脚の間の隙間にしか与えられていない。このうち脚の両側空間は、熱源から離れているので、冷えている手を早く暖めたいという場合には見向きもされない空間である。
【０００７】
故に、熱源から近い空間である「ヤグラ本体の天面部下面と脚の間」に手を差し込むことになる。「炬燵内に手を差し込む」形態には、掌を下に向ける場合と上に向ける場合の２種がある。しかし掌を上下どちらに向けたとしても、安定姿勢がとれているわけではない。また、この空間内に手を置くと言っても、ヤグラ本体の天面部下面に接触させる場合（手を暖める効果は、この状況が一番高い）には、重力に逆らって手掌を持ち上げ続けていなければならないし、脚の上に手を置く場合は熱源から離れており暖め効果が低いと言わざるを得ない。
【課題を解決するための手段】
【０００８】
そこで本考案者は、上記点に鑑み鋭意研究の結果遂に本考案を成したものであり、その特徴とするところは、脚付きヤグラ本体と、別体の上板とで構成される上部加熱式やぐら炬燵であって、該脚付きヤグラ本体の枠部には、手掌載置部又は手指挿通部が設けられている点にある。
【０００９】
即ち本考案は、手掌を炬燵内に差し込んで暖める際、上部加熱式やぐら炬燵の場合熱源がヤグラ本体の天面裏面側に存在しているので、既に差し込まれている脚の上方にある空間のうち、熱源に近い位置であるヤグラ本体の枠部に手掌を留めておけるようにしたものである。
かかる構成により、炬燵内に入れた手掌を効率的に暖めることが出来る場所を得ることができる。
【００１０】
ここで「ヤグラ本体」とは、これとは別体の「上板」と共に、炬燵を構成するものであって、このヤグラ本体の上に炬燵布団を被せ、上板は炬燵布団の上に載置されることになる。「床のいろりの上にヤグラを組み、その上に布団を掛けたもの」が「炬燵」の原型であることから「ヤグラ炬燵」と呼ばれているが、要するに本考案におけるヤグラ本体は上板を付帯しないテーブル状の構造体である。よって、特に脚付きヤグラ本体と呼ぶ。
【００１１】
更に、上部加熱式電気やぐら炬燵であるので、ヤグラ本体がその天面下部に熱源を有している。但し、電気式である点以外には何ら限定するものではない。従って、輻射タイプの熱源に限らず、温風放出タイプ、フラットパネルタイプ、等々の熱源で対応可能である。
【００１２】
ヤグラ本体は「枠部」を有している。なおヤグラ本体は、脚を有するものでもあるので、枠部から脚が下垂する形で枠部と脚が一体化されているとも言える。また、収納時の利便性を考慮し、脚が枠部から着脱自在となっていても良い。
【００１３】
またヤグラ本体の枠部には、手掌載置部又は手指挿通部が設けられている。
手掌載置部とは、文字通り手掌を乗せておくための台のことである。ヤグラ本体の枠部に、その外側から内方に向けて開口を穿設し、ここから内方に向けて台状部分を延出させるようにしても良いし、或いは、枠部の天面側を抉るようにして凹部を形成し、この凹部から内方に向けて台状部分を延出させるようにしても良い。手掌と手甲のいずれを上向きにするかについては特段決めていない。
【００１４】
また手指挿通部とは、手指を差し込んでおくための構造部分である。ヤグラ本体の枠部に、その外側から内方に向けて穿設される開口であっても良いし、或いは、枠部の天面側を抉るようにして凹部を形成し、この凹部とヤグラ本体の上にかぶせる炬燵布団の間（布団を用いない場合には、この凹部と上板の間）に形成される孔に手指を挿通するようにしても良い。
【００１５】
また手掌載置部又は手指挿通部は、両手に対応できるように枠部各辺に一対ずつ設けておくのが基本であるが、四辺に着席することを想定していない場合には、各辺に設置する必要はないし、一辺に二人以上着座するように設計されている場合には一辺に手掌載置部又は手指挿通部を二対以上設けるということも考えられる。
【００１６】
更に、手掌載置部又は手指挿通部付近の適当な位置に握り部を設けておき、手を載せたり指を差し入れた状態で、その握り部を掴めるようにしておけば、手を広げた状態で維持する場合に比して心地よい。また、その握り部が熱源の熱を吸収するものとすれば、握っている指を暖めることになり好適である。
【００１７】
なお近時の炬燵全般に言えることであるが、冬季は炬燵布団を掛けて暖房具として用いるがそうでない時期には、炬燵布団を外し、座卓や食卓として用いるのが一般的である。炬燵布団が外されている場合、本考案に係る炬燵は、手掌載置部或いは手指挿通部が露出することになる。且つ、炬燵布団を外すような時期には、手を暖めてやる必要もない。
そこで、露呈される時期があることを勘案し、手掌載置部や手指挿通部形成のための加工に際しては、デザイン面でも考慮されていることが望ましい。
【考案の効果】
【００１８】
以上述べた通り本考案は、脚付きヤグラ本体と、別体の上板とで構成される上部加熱式やぐら炬燵であって、該脚付きヤグラ本体の枠部には、手掌載置部又は手指挿通部が設けられているものであることを特徴とするものであり、以下述べる如き効果を有する実用上極めて有益なものである。
【００１９】
（１）炬燵で手のひらや指先を暖めようと炬燵内に手を差し入れることは多いが、ある程度以上の時間をかけて暖めようとすれば、太腿の上に手を載せるしかない。しかしそれだと熱源から離れてしまう。ところが本考案の構造の場合には、熱源のすぐ近くに手を置くことができる。
（２）ヤグラ本体の枠体部分を加工するだけであって、炬燵内部の限られた空間を特に狭めるものとはなっていない。
【図面の簡単な説明】
【００２０】
【図１】本考案に係る炬燵の一例を示す概略斜視図である。
【図２】図１で示した例の炬燵の、ヤグラ本体の枠体の拡大斜視図である。
【図３】（ａ）は本考案に係る炬燵の他の例の枠体の部分拡大斜視図、（ｂ）はその使用状態の同じく部分拡大斜視図である。
【図４】（ａ）（ｂ）は、本考案に係る炬燵の手載せプレートの他の例を概略的に示すいずれも斜視図である。
【図５】本考案に係る炬燵の、ヤグラ本体の枠体についての更に他の例を概略的に示す正面図である。
【図６】（ａ）（ｂ）（ｃ）は本考案に係る炬燵の、握り部についての他の例を概略的に示す正面図である。
【考案を実施するための形態】
【００２１】
以下実施の形態に基づいて、本考案をより詳細に説明する。図１は、本考案に係る炬燵１（以下本考案炬燵１という）の一例を示すものであり図より明らかなように、ヤグラ本体２と上板３によって構成されており、これらは別体である。なお以後電気炬燵を例に本考案を説明してゆくが、電気に限るものではない。木炭を用いた炬燵であっても良いし、石油ファンヒーターからの温風をホースで導入する「炬燵ホース」と呼ばれるものであっても適用可能である。
また、本考案炬燵１を暖房具として用いる場合には、ヤグラ本体２の上に炬燵布団Ａを被せた上で更にその上に上板３を載せることになるが、炬燵布団Ａは本考案炬燵１の構成単位ではない。
【００２２】
ヤグラ本体２は、天面部２１と４本の脚２２にて構成されており、更に天面部２１は、枠部（４本の枠体２１１）、桟木２１２、発熱体ユニット２１３とにより構成されている。
【００２３】
本例の本考案炬燵１は、平面視正方形状のものであって、該正方形各辺に着座することを想定している。故に、４本の枠体２１１のいずれにも、着座した人の両手を保持する構造が設けられているということになる。図２は、枠体２１１に設けられたこの構造部分を示すものである。なお本考案の特徴を明確にするため、本図以降、桟木２１２や発熱体ユニット２１３の描出は省略している。
【００２４】
図から明らかなように、枠体２１１に２つの長孔４が穿設されており、更にこの長孔４からほぼ水平、且つ、炬燵本体内方に向けて手載せプレート５が延出している。この２つの長孔４はいずれも高さ約３０ｍｍで幅約１２０ｍｍの長円形状であって、概ね成人男性の手をその手首まで差し入れることができる大きさ形状である。
【００２５】
なお本例の手載せプレート５は、多数のパンチング孔５１が設けられたプラスチック製板状体であるが、孔が設けられていなくても良いし、プラスチック以外の材質を採用しても良い。多数のパンチング孔５１が設けられているので、熱源の熱は、手載せプレート５によって遮断されることなく伝導されてゆく。
【００２６】
更に図３（ａ）に示すように、手載せプレート５上に握り孔５２を穿設しておき、同図（ｂ）に示すように長孔４から手を差し入れ、プレートの一部を握ることができるようにしておいても良い。本例では握り孔５２に母指を差し入れているため、多少外しにくい構造となっている。反面、位置を保つ意識なくずっと維持できる構造となっているので好ましいとも言える。図示はしないが、握り孔５２に母指以外の４本の指が差し込める孔構造に変えても良い。
【００２７】
なお手載せプレート５の材質をこれまでプラスチックとして説明してきたが、ヤグラ本体２が木製であることが多いことから、手載せプレート５も木製とした方が違和感がないし、手触りの良好なもの、デザイン的に優れたものが得やすいといった利点がある。図４（ａ）（ｂ）は、木製の手載せプレート５の例を示したものであり、枠体２１１を内側から見た状態を描出したものである。
【００２８】
なお（ａ）（ｂ）いずれの手載せプレート５も、長孔４からヤグラ本体２の内方に延出する一対の壁部材５３を伴っている。そして実際に手を載せるのは、この壁部材５３の下部同士を連結した部分である。これが、（ａ）の場合には平板であり、（ｂ）の場合には２本の棒材である。
【００２９】
次に示す図５は枠体２１１の上面に、孔ではなく切欠６が２つ設けられた例を示すものである。手を炬燵内に差し入れるのは冷えた手を暖める時であって、炬燵が暖房器具として用いられる時にはヤグラ本体２と上板３の間に炬燵布団Ａが存在する、と考えた場合、冷えた手を切欠６に差し入れた時、手は炬燵布団Ａと切欠６の隙間に差し込まれることになる。そして通常炬燵布団Ａは、ヤグラ本体２を構成する材料（大抵は木材）よりも柔らかいので、狭い隙間であっても容易に手を入れることができることができる。
従って、長孔４を穿設している前例に比して、枠体２１１を削除する量が少なくて済む。これは、強度維持のためにも好ましいし、暖房器具ではなく座卓として使用する場合にも削除部分が目立たなくて済むという効果がある。
なお、切欠６を設けた構成の場合にも、手載せプレート５を採用できるが、図示は省略する。
【００３０】
図６（ａ）（ｂ）（ｃ）は、握り部についての他の例を示すものであり、図３に示した手載せプレート５上に穿設した握り孔５２と異なり本例の握り部は、枠体２１１の正面に指４本（母指以外の４本）を差し入れる長孔７を穿設し、該長孔７直下の枠体２１１を握るという構造である。手掌を下に向ける時〔同図（ｂ）〕と、上に向ける時〔同図（ｃ）〕で多少様相が異なる。なお本例の場合には、手載せプレート５は取設されない。
【符号の説明】
【００３１】
１          本考案に係る炬燵
２          ヤグラ本体
２１      天面部
２１１  枠体
２１２  桟木
２１３  発熱体ユニット
２２      脚
３          上板
４          長孔
５          手載せプレート
５１      パンチング孔
５２      握り孔
５３      壁部材
６          切欠
７          長孔
Ａ          炬燵布団
【図１】
0003225913.tif 000003
【図２】
0003225913.tif 000004
【図３】
0003225913.tif 000005
【図４】
0003225913.tif 000006
【図５】
0003225913.tif 000007
【図６】
0003225913.tif 000008